(57)【特許請求の範囲】
【請求項１】
撮影開始に関するスイッチ手段と、
収納位置と発光位置とに移動可能な発光部を備えた内蔵フラッシュ装置と、
所定発光条件を満足したときに前記発光部を前記収納位置から発光位置へ移動させ、露光の際に自動発光させる自動発光モードを含む複数のフラッシュ発光モードの中から選択されたフラッシュ発光モードでフラッシュ制御する制御手段を備え、
この制御手段は、前記自動発光モードが選択されている状態で前記スイッチ手段がＯＮしたときに、測光処理を実行し、所定発光条件を満足していると判断したときは前記発光部を前記発光位置へ移動させ、その後に前記発光部が前記収納位置に強制収納されたときは一時的に自動発光を禁止し、
さらに前記制御手段は、前記一時的に自動発光を禁止したときは、前記スイッチ手段がＯＮしている間は前記一時的な自動発光禁止を維持し、前記スイッチ手段がＯＦＦしたときに所定時間タイマをスタートさせて前記スイッチ手段が何ら操作されずに所定時間が経過したときに前記一時的な自動発光の禁止を解除し、前記所定時間が経過する前に前記スイッチ手段がＯＮしたときは前記一時的な自動発光禁止を維持して、その後前記スイッチ手段がＯＦＦする毎に前記所定時間タイマを再スタートさせること、を特徴とするフラッシュ内蔵カメラのフラッシュ制御装置。
【請求項２】
前記制御手段は、前記一時的に自動発光を禁止している間は、前記所定発光条件を満足しても前記発光部を発光位置に移動させない請求項１記載のフラッシュ内蔵カメラのフラッシュ制御装置。
【請求項３】
前記内蔵フラッシュは、前記発光部を、カメラボディと一体化する収納位置と該カメラボディから離反する発光位置とに移動する支持機構を備え、該支持機構は、前記発光部を前記収納位置から発光位置に移動付勢するばね部材と、前記発光部を収納位置に係止する係止機構と、該係止機構による発光部の係止を解除する電動解除手段とを備え、前記制御手段は、前記フラッシュ自動発光モードにおいて所定発光条件を満足したと判断したときに、前記電動解除手段を作動させて前記発光部が前記ばね部材の付勢力により発光位置まで移動するのを許容し、該発光位置まで移動した発光部が前記収納位置まで外力により戻されたときに一時的に自動発光を禁止する請求項１または２記載のフラッシュ内蔵カメラのフラッシュ制御装置。
【請求項４】
撮影開始に関するスイッチ手段と、収納位置と発光位置とに移動可能なフラッシュ発光部を備えた内蔵フラッシュ装置と、
所定発光条件を満足したときに前記発光部を前記収納位置から発光位置へ移動させ、露光の際に自動発光させる自動発光モードを含む複数のフラッシュ発光モードの中から選択されたフラッシュ発光モードでフラッシュ制御する制御手段を備え、
この制御手段は、前記自動発光モードが選択されている状態で前記スイッチ手段がＯＮしたときに、測光処理を実行し、所定発光条件を満足していると判断したときは前記発光部を前記発光位置へ移動させ、その後に前記発光部が前記収納位置に強制収納されたときは一時的に自動発光を禁止し、
さらに前記制御手段は、前記一時的に自動発光を禁止したときは、前記スイッチ手段がＯＮしている間は前記一時的な自動発光禁止を維持し、前記スイッチ手段がＯＦＦしたときに所定時間タイマをスタートさせて、前記スイッチ手段がＯＮされずに所定時間が経過したときは前記一時的な自動発光の禁止を解除し、前記所定時間が経過する前に前記スイッチ手段がＯＮしたときは前記一時的な自動発光禁止を維持し、その後前記スイッチ手段がＯＦＦする毎に前記所定時間タイマを再スタートさせること、を特徴とするカメラ。
【請求項５】
前記制御手段は、前記一時的に自動発光を禁止している間は、前記所定発光条件が満足されたとしても、前記フラッシュ発光部が前記収納位置から前記発光位置に移動するのを禁止する請求項４記載のカメラ。
【請求項６】
前記内蔵フラッシュは、前記発光部を、カメラボディと一体化する収納位置と該カメラボディから離反する発光位置とに移動する支持機構を備え、該支持機構は、前記発光部を前記収納位置から発光位置に移動付勢するばね部材と、前記発光部を収納位置に係止する係止機構と、該係止機構による発光部の係止を解除する電動解除手段とを備え、前記制御手段は、前記フラッシュ自動発光モードにおいて所定発光条件を満足したと判断したときに、前記電動解除手段を作動させて前記発光部が前記ばね部材の付勢力により発光位置まで移動するのを許容し、該発光位置まで移動した発光部が前記収納位置まで外力により戻されたときに一時的に自動発光を禁止する請求項４または５記載のカメラ。
【発明の詳細な説明】
【０００１】
【発明の技術分野】
本発明は、フラッシュ内蔵カメラのフラッシュ制御装置に関する。
【０００２】
【従来技術およびその問題点】
発光部を収納位置から発光位置にポップアップさせる内蔵フラッシュを備えたカメラにおいて、自動発光モードでは、低輝度時など所定条件を満足したときに発光部を自動的にポップアップさせて、露光時に発光させるものが知られている。このようなフラッシュ内蔵カメラを使用する場合使用者は、発光部がオートポップアップした時点で予め、フラッシュが発光されることが分かる。そこで使用者は、フラッシュを発光させたくないときは発光部を手動で収納位置に戻している。
【０００３】
しかし、発光部を収納位置に戻しただけでは、再び所定条件を満足したときに発光部が自動的にポップアップしてしまう。そのため使用者は、発光部を手動で収納位置に戻すだけでなく、フラッシュ発光モードを自動発光モードから発光禁止モードなどに変更しなければならず、その操作が煩わしかった。また、その撮影時だけフラッシュを発光させたくなかった場合は、再びフラッシュ発光モードを自動発光モードに戻す操作をしなければならなかった。
【０００４】
【発明の目的】
本発明は、従来のオートフラッシュ機能を備えたフラッシュ内蔵カメラの問題に鑑みてなされたもので、フラッシュ内蔵カメラにおいて、自動発光モードが設定されている場合でも、簡単に一時的にフラッシュの自動発光を禁止できるフラッシュ制御装置を提供することを目的とする。
【０００５】
【発明の概要】
この目的を達成する本発明は、撮影開始に関するスイッチ手段と、収納位置と発光位置とに移動可能な発光部を備えた内蔵フラッシュ装置と、所定発光条件を満足したときに前記発光部を前記収納位置から発光位置へ移動させ、露光の際に自動発光させる自動発光モードを含む複数のフラッシュ発光モードの中から選択されたフラッシュ発光モードでフラッシュ制御する制御手段を備え、この制御手段は、前記自動発光モードが選択されている状態で前記スイッチ手段がＯＮしたときに、測光処理を実行し、所定発光条件を満足していると判断したときは前記発光部を前記発光位置へ移動させ、その後に前記発光部が前記収納位置に強制収納されたときは一時的に自動発光を禁止し、さらに前記制御手段は、前記一時的に自動発光を禁止したときは、前記スイッチ手段がＯＮしている間は前記一時的な自動発光禁止を維持し、前記スイッチ手段がＯＦＦしたときに所定時間タイマをスタートさせて、前記スイッチ手段がＯＮされずに所定時間が経過したときは前記一時的な自動発光の禁止を解除し、前記所定時間が経過する前に前記スイッチ手段がＯＮしたときは前記一時的な自動発光禁止を維持し、その後前記スイッチ手段がＯＦＦする毎に前記所定時間タイマを再スタートさせること、に特徴を有する。
この構成によれば、自動発光モードが設定されている場合でも、発光位置に移動した発光部を収納位置に戻すだけで一時的に自動発光を禁止することができる。スイッチ手段がＯＮした後にＯＦＦしてから何ら操作されずに所定時間経過したときには一時的な自動発光禁止が解除されるので、撮影を中止等した場合は、なんら操作しなくても自動発光可能な自動発光モードに戻る。一方、所定時間内にスイッチ手段がＯＦＦからＯＮしている間は一時的な自動発光禁止が維持されるので、撮影毎に自動発光を再度禁止する操作をしなくても済む。自動発光の禁止には、発光部が発光位置に自動移動することの禁止も含めることが望ましい。
【０００６】
【発明の実施の形態】
以下図面に基づいて本発明を説明する。図１は、本発明を適用したＡＦ（自動焦点）一眼レフカメラのカメラボディの実施の形態の外観を示す斜視図、図２は同一眼レフカメラの要部外観を背後からから見て示す斜視図、図３は同一眼レフカメラの内蔵フラッシュをポップアップさせて要部外観を背後から見て示す斜視図である。
【０００７】
カメラボディ１０１の上飾り板１０３上には、カメラボディ１０１に向かって左側にレリーズボタン１０５が設けられ、その後方に、電源のオン／オフを操作するメインスイッチボタン１０７、撮影枚数、シャッタ速度、絞り値などの撮影情報を表示する外部ＬＣＤ１０９が設けられ、ほぼ中央のペンタ部には内蔵フラッシュ装置の発光部１１１が設けられ、その後方にアクセサリーシュー１１３が設けられている。
【０００８】
発光部１１１は、詳細は図示しないが、反射傘、クセノン管およびフレネルレンズを備えた発光部筐体がペンタプリズム上部にポップアップ機構によって支持されていて、このポップアップ機構により、図１、２の収納位置と、ペンタプリズム上方であって、発光部面が被写体方向を向くポップアップ位置（発光位置）（図３参照）とに移動可能である。このポップアップ機構は、詳細は図示しないが、発光部１１１を常時ポップアップ方向に移動付勢するばね部材１５３と、発光部１１１が収納位置に移動したときにばね部材１５３の付勢力に抗して発光部１１１を収納位置に係止する係止レバー１５１とを備えている。この係止レバー１５１は、発光部１１１が使用者に手で収納位置まで押されたときに発光部１１１の係止爪に係合して発光部１１１を収納位置にロックする。そしてこの係止レバー１５１による係止がポップアップマグネットＰｕＭｇ（図４参照）への通電によって解除され、発光部１１１がばね部材１５３の付勢力によってポップアップ位置までポップアップ（移動）する。
カメラボディ１０１の背面には、このポップアップマグネットＰｕＭｇへ通電させて係止レバー１５１による発光部１１１の係止を解除させて発光部１１１をポップアップさせるための強制発光ボタン１１９が設けられている。
【０００９】
図１において上飾り板１０３の右側には、複数の露出モードの中から一つのプログラムモードを選択操作する操作手段としてモードダイヤル１２１が設けられている。カメラボディ１０１の正面には、撮影レンズを装着するボディマウント１１５、装着された撮影レンズ６１のレンズＣＰＵ６３との間で通信を実行してレンズ情報、例えば開放絞り値、焦点距離などの情報を入力するボディ接点群１１７が設けられている。
【００１０】
モードダイヤル１２１は、上飾り板１０３に対して固定された、複数の絵文字が表示された円形のモード盤（表示板）１２３と、そのモード盤１２３の外周に回転自在に装着されたベゼル１２５を備えている。このベゼル１２５には指標１２７が設けられていて、この指標１２７は、モード盤１２３の表面に設けられた絵文字群１２３ａ、１２３ｂの一つを指し示す位置で停止するように形成されていて、指標１２７が指し示す絵文字に対応するモードが選択される。一方の絵文字群１２３ａは半透明に形成されていて、指標１２７で指し示された絵文字を、モード盤１２３の背面（ボディ内側）から発光素子（ピクチャーモード表示ＬＥＤ５１（５１ａ〜５１ｈ））によって照明し、光らせることに特徴を有する。他方の絵文字群１２３ｂは照明を有していない。
【００１１】
モード盤１２３のより詳細な構成について、図１４を参照して説明する。モード盤１２３の表面には、光る絵文字群１２３ａとして絵文字（アイコン）１２４ａ〜１２４ｈが形成され、光らない絵文字群１２３ｂとして絵文字１２４ｉ〜１２４ｍが形成されている。絵文字モード盤１２３は、半透明、例えば乳白色の合成樹脂盤で形成し、表面に黒塗装を施し、レーザ加工によって黒塗装をとばして光が通る絵文字１２４ａ〜１２４ｈをほぼ同心円上に沿って所定間隔で、ほぼ半分の領域に形成してある。モード盤１２３の表面にはさらに、絵文字１２４ａ〜１２４ｈの下部に、黒塗装の上に印刷によって光を透過しない絵文字１２４ｉ〜１２４ｍをほぼ同心円上に沿って所定間隔で形成してある。本実施例では、８個のプログラム露出モードを透光性の絵文字１２４ａ〜１２４ｈで表示し、５個のシャッタ優先モード、絞り優先モード、マニュアル露出モード、ＩＳＯ感度設定モードおよび合焦音有り／無し設定モードを遮光性の絵文字１２４ｉ〜１２４ｍで表示するように形成されている。図において左右両端の絵文字１２４ａ、１２４ｈが発光禁止オートピクチャーモード（発光禁止自動選択撮影モード）、オートピクチャーモード（自動選択撮影モード）を、その間の絵文字１２４ｂ〜１２４ｇがそれぞれ、夜景モード、動体モード、近接（マクロ）モード、風景モード、人物（ポートレート）モードおよび標準モードを表示している。また、絵文字１２４ｈは、オートピクチャーモードを識別するＡＵＴＯ／ＰＩＣＴの白抜き文字１２４ｈ１が透光性部分で形成され、これを囲む枠１２４ｈ２が印刷によって形成されている。
【００１２】
このカメラボディ１０１の制御系の構成について、図４および図５に示したブロック図を参照してより詳細に説明する。カメラボディ１０１は、カメラの動作を統括的に制御するＣＰＵ１１を備えている。ＣＰＵ１１は、カメラの機能に関するプログラム等が書き込まれたＲＯＭおよび各種パラメータ、レンズ情報などを一時的に記憶するＲＡＭを内蔵している。さらにＣＰＵ１１には、撮影枚数や、各種書き換え可能なパラメータ、モードを書き込むEEPROM３９が接続されている。ＣＰＵ１１には、カメラボディ１０１のバッテリ室（図示せず）に装填されたバッテリ１３の電圧が電圧レギュレータ１５を介して定電圧として供給される。ＣＰＵ１１は、電圧レギュレータ１５から供給された定電圧によって発振子１７を作動させ、発振子１７から出力されるクロックパルスに同期して動作する。
【００１３】
ＣＰＵ１１には、スイッチ手段として、電源をオン／オフするメインスイッチＳＷＭ、測光スイッチＳＷＳ、レリーズスイッチＳＷＲ、強制ポップアップスイッチＳＷＰｕ、ポップアップ検知スイッチＳＷＰｕｄ、ベゼル１２５に連動するモードダイヤルスイッチＳＷＭｏｄが接続されている。
【００１４】
メインスイッチＳＷＭはメインスイッチボタン１０７に連動するスイッチであって、スイッチボタン１０７がオン操作されてメインスイッチＳＷＭがオンするとＣＰＵ１１が起動する。そしてＣＰＵ１１は、周辺部材に電力供給するとともに、操作されたスイッチに応じた処理を実行する。
【００１５】
測光スイッチＳＷＳおよびレリーズスイッチＳＷＲはそれぞれレリーズボタン１０５に連動し、レリーズボタン１０５の半押し、全押しでそれぞれオンするスイッチである。測光スイッチＳＷＳがオンするとＣＰＵ１１は、測光用ＩＣ４１から測光信号を入力して被写体輝度を求め、選択された露出モードで最適なシャッタ速度および絞り値を算出するＡＥ演算を実行し、さらに位相差方式のＡＦ用ＣＣＤ３３から被写体像のビデオ信号を入力してデフォーカス量を演算し、モータドライバＩＣ２７を介してＡＦモータ２９を駆動して、撮影レンズ６１の焦点調節レンズ群Ｌを合焦位置まで移動させるＡＦ処理を実行する。ＡＦモータ２９の回転は、ジョイント３０を介して撮影レンズ６１のジョイント６６に伝達され、このジョイント６６を介して焦点調節機構６７を駆動して焦点調節レンズ群Ｌを合焦位置に移動させる。焦点調節レンズ群Ｌの移動量は、ＡＦモータ２９の回転に連動してＡＦパルスを出力するＡＦ用フォトインタラプタ３１のパルス数として求め、ＡＦ用フォトインタラプタ３１が出力するＡＦパルス数によってＡＦモータ２９の駆動量を制御する。なお、測光用ＩＣ４１はいわゆる分割測光センサを備えていて、撮影範囲を複数の測光エリアに分割して各測光エリア毎に独立した測光ができる。
【００１６】
レリーズスイッチＳＷＲがオンするとＣＰＵ１１は、ミラーをアップさせるとともに、ＡＥ演算で設定した絞り値に基づいて絞り制御回路３７を作動させて撮影レンズ６１の絞りを絞り込み、シャッタ速度に基づいてシャッタ回路３５を作動させて露出する。露出が終了すると、モータドライバＩＣ１９を介してメカチャージモータ２１を作動させて、ミラーをダウンさせ、シャッタ機構の先幕、後幕走行ばねをチャージさせる。さらにＣＰＵ１１は、モータドライバＩＣ２３を介してフィルムモータ２５を作動させてフィルムを１コマ分巻き上げる。
【００１７】
強制ポップアップスイッチＳＷＰｕは、強制発光ボタン１１９に連動し、これが押されたときにオンするスイッチである。強制ポップアップスイッチＳＷＰｕがオンするとＣＰＵ１１は、スイッチングトランジスタＴr1をオンしてポップアップマグネットＰｕＭｇに通電し、発光部１１１を係止している係止レバー１５１による係止を解除させる。すると発光部１１１は、ばね部材１５３の付勢力によって発光位置までポップアップする。ＣＰＵ１１は、発光部１１１が発光位置までポップアップしたときにオンするポップアップ検知スイッチＳＷＰｕｄを介して、発光部１１１が発光位置までポップアップしたことを検知する。ポップアップ検知スイッチＳＷＰｕｄは、発光部１１１がポップアップ位置から収納位置方向に移動しているときはオフする。
【００１８】
また、本発明の実施の形態は、ＣＰＵ１１が測光用ＩＣ４１から得た被写体輝度データ、フィルムISO感度データ等に基づいて被写体が低輝度であると判断したときは、ポップアップマグネットＰｕＭｇに通電して発光部１１１をポップアップさせて、フラッシュを自動発光させることができる。なお、アクセサリーシュー１１３に外部フラッシュ７１が装着されているときは、発光部１１１をポップアップさせると発光部１１１が外部フラッシュ７１に衝突する可能性があるので発光部１１１はポップアップさせずに、外部フラッシュ７１を内蔵フラッシュ同様に発光制御する。
【００１９】
モードダイヤルスイッチＳＷＭｏｄは、ベゼル１２５の回転停止位置に応じてオン／オフする、４ビットのコードスイッチであって、ＣＰＵ１１は、そのオン／オフの組合せでベゼル１２５の停止位置、つまりベゼル１２５の指標１２７が指し示す一つの絵文字群１２３ａ、１２３ｂの絵文字に対応するモード、機能またはパラメータを選択する。
【００２０】
モードダイヤル１２１は、一方の絵文字群１２３ａの各絵文字を光らせる照明手段としてのピクチャーモード表示ＬＥＤ５１（ピクチャーモード表示ＬＥＤ５１ａ〜５１ｈ）を備えている。ＣＰＵ１１には、これらのピクチャーモード表示ＬＥＤ５１ａ〜５１ｈを独立して駆動するトランジスタＴrが接続されている。本発明の実施の形態では、メインスイッチＳＷＭがオンしたときや、ベゼル１２５によっていずれかのプログラムモードが選択されたときなどに、それぞれ対応する形態でトランジスタＴrをオンして各ピクチャーモード表示ＬＥＤ５１ａ〜５１ｈを点灯して選択されたモードを表示する。
【００２１】
さらにＣＰＵ１１には、撮影情報など、撮影に必要な情報を表示する表示手段として、外部ＬＣＤ１０９およびファインダ内ＬＣＤ４５が接続されている。ＣＰＵ１１は、メインスイッチボタン１０７と連動するメインスイッチＳＷＭがオフした状態では、ファインダ内ＬＣＤ４５には何も表示せず、外部ＬＣＤ１０９には撮影前に必要な情報を表示する。撮影前に必要な情報とは、例えば、フィルムが装填されているか否か、装填されていなときはその旨、装填されているときは正常に巻き上げられているか否か、ローディング中はローディング状態、正常に巻き上げているときは撮影枚数、撮影終了して巻き戻しているときはその巻き戻し状態、巻き戻しが完了したときは巻き戻し完了状態があり、それぞれの状態に応じた表示をする。メインスイッチＳＷＭがオンした状態では、外部ＬＣＤ１０９には撮影枚数の他、選択されたシャッタ速度、モードなどを表示し、ファインダ内ＬＣＤ４５には、測光スイッチＳＷＳが半押しされるまで、またはモードダイヤル１２１が操作され、ＡＥ演算処理が実行されるまで何も表示しない。ＡＥ演算処理後は、外部ＬＣＤ１０９およびファインダ内ＬＣＤ４５に演算された最適シャッタ速度、絞り値など撮影に有用な情報を表示する。
【００２２】
ファインダ内ＬＣＤ４５は、その液晶パネルが表示した情報を照明する照明手段として緑色ＬＥＤ４７ａおよび赤色ＬＥＤ４７ｂを備えている。ＣＰＵ１１は、通常の撮影状態では緑色ＬＥＤ４７ａをオンするが、使用者に警告した方がよいとき、例えばシャッタ速度が手ブレ限界速度よりも遅いときなど、所定の警告時には赤色ＬＥＤ４７ｂの方をオンして赤色表示し、照明色の変化によって使用者に注意を促す。
【００２３】
カメラボディ１０１にレンズＣＰＵ６３を備えた撮影レンズ６１が装着されているときは、ＣＰＵ１１はレンズＣＰＵ６３との間でレンズデータ通信を実行し、焦点距離、撮影レンズ６１がズームレンズの場合は現在の焦点距離、撮影距離（焦点調節レンズ群Ｌの位置）、開放絞り値などのレンズデータを入力する。レンズＣＰＵ６３は、焦点距離コード板６４を介して焦点距離を検知し、距離コード板６５を介して撮影距離（焦点調節レンズ群Ｌの位置）を検知し、カメラボディ１０１のＣＰＵ１１に通信する。
【００２４】
『メイン処理』
図６は、カメラボディ１０１のメイン処理であって、バッテリが装填されているときの処理である。バッテリ室にバッテリ１３が装填され、バッテリ蓋が閉じられると、ＣＰＵ１１は各入出力ポート、内蔵ＲＡＭなどを初期化し（Ｓ１１）、各入出力ポートに接続された周辺回路を初期化し（Ｓ１３）、基準タイマをスタートさせる（Ｓ１５）。以上の処理は、バッテリが装填されたときに入るが、バッテリが装填されている状態では、以下の処理を繰り返す。
【００２５】
まず、250ms（ミリ秒）インターバルタイマをスタートさせ（Ｓ１７）、各スイッチのオン／オフ状態を入力してメインスイッチＳＷＭがオンしているかどうかをチェックする（Ｓ１９、Ｓ２１）。250msインターバルタイマは、メインスイッチＳＷＭがオンしたかどうかをＣＰＵ１１が定期的にチェックする周期を設定するタイマである。
【００２６】
メインスイッチＳＷＭがオフしているときは（Ｓ２１；Ｎ）、外部ＬＣＤ１０９に電源オフ時の表示をし、ピクチャーモード表示ＬＥＤ５１を消灯させる（Ｓ２３、Ｓ２５）。そして250ms経過するのを待ち（Ｓ２７）、250ms経過したら（Ｓ２７；Ｙ）、３分タイマが既にスタートとしているかどうかをチェックする（Ｓ２８-１)。３分タイマは、メインスイッチＳＷＭがＯＮしている状態で、測光スイッチＳＷＳ、レリーズスイッチＳＷＲまたはモードダイヤルスイッチのいずれかがＯＮしてＳ５３以降の▲２▼測光ＯＮループに入った後、メインスイ
ッチＳＷＭがオフしたとき（Ｓ５５；Ｙ）、または測光スイッチＳＷＳがオフした後（Ｓ８７；Ｎ）に、Ｓ９４でスタートさせるタイマである。
３分タイマが既にスタートしていたら（Ｓ２８−１；Ｙ）、３分タイマがタイムアップしたかどうか、つまり３分タイマがスタートしてから３分経過したどうかをチェックする（Ｓ２８−２）。３分経過していたら、発光禁止フラグをクリアし（（Ｓ２８−２；Ｙ、Ｓ２８−３）、３分タイマを停止してＳ１７に戻る（Ｓ２８−４）。つまり、測光スイッチＳＷＳがＯＦＦしてから何も操作されない状態で３分経過することにより自動的に発光禁止が解除される。すなわち３分タイマは、発光禁止フラグに“１”をセットした後、クリアするまでの所定時間を計時するタイマである。
一方、３分タイマがスタートしていないとき（Ｓ２８−１；Ｎ）、または３分タイマがスタートしていても３分経過していないときは（Ｓ２８−１；Ｙ、、Ｓ２８−２；Ｎ）、発光禁止フラグのクリアはしない。
Ｓ１７に戻ると、再び250msインターバルタイマをスタートさせて、Ｓ１７〜Ｓ２７、Ｓ２８−４の処理をメインスイッチＳＷＭがオフしている間繰り返す。
【００２７】
メインスイッチＳＷＭがオンすると（Ｓ２１；Ｙ）、前回メインスイッチＳＷＭがオフしていたかどうかをチェックし（Ｓ２９）、前回オフしていたら、つまりメインスイッチＳＷＭがオンされて１回目の処理のときは、発光禁止フラグをクリアし（Ｓ２９；Ｙ、Ｓ３０）、ピクチャーモード表示ＬＥＤ５１の点灯によるオープニング表示処理を実行する（Ｓ３１）。メインスイッチＳＷＭがオフからオンしたときは、測光スイッチＳＷＳがオフまたはメインスイッチＳＷＭがオフしてから３分経過していなくても、Ｓ３０において発光禁止フラグがクリアされる。オープニング表示処理は、ピクチャーモード表示ＬＥＤ５１の各ＬＥＤ５１ａ〜５１ｈを所定のアルゴリズムで順番に点灯させ、消灯する（最後にベゼル１２５で選択されているプログラムモードに対応するピクチャーモード表示ＬＥＤ５１のみを点灯させる）表示処理である。メインスイッチＳＷＭが前回オフしていなければ、メインスイッチＳＷＭはオン状態なので、発光禁止フラグのクリア処理およびオープニング表示処理をスキップしてＳ３３に進む（Ｓ２９；Ｎ、Ｓ３３）。
【００２８】
Ｓ３３のステップでは、内蔵フラッシュポップアップ処理を実行する。内蔵フラッシュポップアップ処理とは、詳細は後述するが、ここでは、強制ポップアップスイッチＳＷＰｕがオンしていればポップアップトランジスタＴr1をオンしてポップアップマグネットＰｕＭｇに通電し、内蔵フラッシュ５３の発光部１１１をポップアップさせる処理である。
【００２９】
ポップアップ検知スイッチＳＷＰｕｄがオンしていたら、つまり発光部１１１がポップアップしていたら、内蔵フラッシュ充電処理を実行してＳ３９に進み（Ｓ３５；Ｙ、Ｓ３７、Ｓ３９）、ポップアップ検知スイッチＳＷＰｕｄがオンしていなければ充電処理をスキップしてＳ３９に進む（Ｓ３５；Ｎ、Ｓ３９）。
【００３０】
Ｓ３９のステップでは、電源オン時のＬＣＤ表示処理を実行する。電源オン時のＬＣＤ表示処理では、外部ＬＣＤ１０９には、設定されたシャッタ速度などの撮影に有用な情報を表示し、ファインダ内ＬＣＤ４５には何も表示しない。
【００３１】
そして、測光スイッチＳＷＳ、レリーズスイッチＳＷＲがオンしているかどうかをチェックする（Ｓ４１、Ｓ４３）。いずれのスイッチもオンしていなければ（Ｓ４１；Ｎ、Ｓ４３；Ｎ）、モードダイヤルスイッチＳＷＭｏｄの状態が変化したかどうかをチェックし（Ｓ４５）、変化していなければＳ２７に戻る（Ｓ４５；Ｎ、Ｓ２７）。
【００３２】
測光スイッチＳＷＳまたはレリーズスイッチＳＷＲがオンしているか、若しくはモードダイヤルスイッチＳＷＭｏｄの状態が変化していれば、Ｓ４９に進む（Ｓ４１；Ｙ、Ｓ４９またはＳ４３；Ｙ、Ｓ４９、若しくはＳ４５；Ｙ、Ｓ４９）。
【００３３】
Ｓ４９のステップでは、測光タイマ設定処理を実行する。この測光タイマ設定処理は、250msインターバルタイマよりも短いインターバルでスイッチチェック処理などを実行しながらレリーズスイッチＳＷＲがオンするのを待ち、所定回数スイッチチェック処理を実行してもレリーズスイッチＳＷＲがオンしないときにＳ１７のステップに戻るための、インターバルタイマおよびチェック回数を設定する処理である。本実施例のインターバルタイマは１２５msインターバルタイマであり、チェック回数は８０回であり、チェック回数はカウンター（COUNTER）にセットされる。
【００３４】
測光タイマ設定処理を実行したら（Ｓ４９）、１２５msインターバルタイマをスタートさせる（Ｓ５１）。そして、各スイッチのオン／オフ状態を入力してメインスイッチＳＷＭがオンしているかどうかをチェックする（Ｓ５３、Ｓ５５）。メインスイッチＳＷＭがオフしているときは（Ｓ５５；Ｙ）、Ｓ９１に抜けてファインダ内ＬＣＤバックライトを消灯し）、ピクチャーモード表示ＬＥＤ５１を消灯し（Ｓ９３）、３分タイマをスタートさせて（Ｓ９４）Ｓ１７に戻る。メインスイッチＳＷＭがオンしているときは（Ｓ５５；Ｎ）、以下の処理を実行する。
【００３５】
まず、撮影レンズ６１から、開放Ｆ値、現在の焦点距離、内蔵フラッシュケラレ情報などのレンズデータを入力する（Ｓ５７）。測光ＩＣ４１から測光値（被写体輝度Ｂｖ）を入力し（Ｓ５９）、設定絞り値を入力する（Ｓ６１）。設定絞り値は、撮影レンズ６１の絞り環によって設定された絞り値を、絞り値検出ボリューム４３の抵抗値から検出する。撮影レンズ６１の絞り環がオート（Ａ）位置の場合は、絞り値検出ボリューム４３の抵抗値の情報は用いず、次のステップＳ６３で実行されるＡＥ演算処理において絞り値Ａｖを演算する。
【００３６】
次に、ＡＥ演算処理によって適正シャッタ速度Ｔｖおよび絞り値Ａｖを演算する（Ｓ６３）。ＡＥ演算処理では、詳細は後述するが、測光値、フィルム感度、露出補正値に基づいて、選択された露出モードに応じたアルゴリズムによって適正なシャッタ速度Ｔｖ、絞り値Ａｖを演算し、設定する。
【００３７】
設定したシャッタ速度Ｔｖおよび絞り値Ａｖに基づいて、内蔵フラッシュポップアップ処理を実行する（Ｓ６５）。内蔵フラッシュポップアップ処理は、詳細は後述するが、内蔵フラッシュ５３の発光部１１１をポップアップするかどうか判断し、ポップアップする場合はポップアップマグネットＰｕＭｇに通電して発光部１１１をポップアップさせる処理である。次に内蔵フラッシュ５３の発光部１１１がポップアップしたかどうかをチェックし（Ｓ６７）、ポップアップしていれば内蔵フラッシュ５３に充電処理を実行させてＳ７１に進み（Ｓ６７；Ｙ、Ｓ６９、Ｓ７１）、ポップアップしていなければ充電処理をスキップしてＳ７１に進む（Ｓ６７；Ｎ、Ｓ７１）。
【００３８】
Ｓ７１のステップでは、ファインダ内ＬＣＤ４５、外部ＬＣＤ１０９の表示処理を実行する。このＬＣＤ表示処理では、外部ＬＣＤ１０９には、設定されたシャッタ速度などの撮影に有用な情報を表示し、ファインダ内ＬＣＤ４５には、合焦状態、設定されたシャッタ速度や、手ブレ警告、フラッシュ発光モードなど、使用者がファインダを介して被写体を観察しているときに有用な情報を表示する。
【００３９】
そして、ファインダ内ＬＣＤバックライト点灯処理を実行する（Ｓ７３）。この点灯処理では、詳細は後述するが、通常の撮影条件のときは緑色ＬＥＤ４７ａを点灯し、手ブレ警告、合焦できないときなど、警告を要するときは赤色ＬＥＤ４７ｂを点灯する。
さらに、ピクチャーモード表示点灯処理を実行する（Ｓ７５）。この表示点灯処理では、オートピクチャーモード、または発光禁止オートピクチャーモードが選択されていた場合に、Ｓ６３のＡＥ演算処理で選択されたプログラムモードに対応するピクチャーモード表示ＬＥＤ５１を点灯する処理である。
【００４０】
点灯処理が終了すると、ＣＣＤ３３を駆動して被写体像のビデオ信号を入力してＡＦモータ２９の駆動方向および駆動量を求めてＡＦモータ２９を駆動し、撮影レンズ６１の焦点調節レンズ群Ｌを合焦位置まで移動させるＡＦ処理を実行する（Ｓ７７）。
【００４１】
次に、レリーズスイッチＳＷＲがオンしているかどうかをチェックし（Ｓ７９）、オンしていればレリーズ処理を実行してＳ４９に戻る（Ｓ７９；Ｙ、Ｓ９５、Ｓ４５）。レリーズスイッチＳＷＲがオンしていなければ（Ｓ７９；Ｎ）、１２５ms経過したかどうか（１２５msインターバルタイマがタイムアップしたかどうか）をチェックし（Ｓ８１）、１２５ｍｓ経過するのを待つ。１２５ms経過したら（Ｓ８１；Y）、カウンター（COUNTER）が０になったかどうかをチェックし（Ｓ８３）、０になっていなければカウンターを１デクリメントしてＳ５３に戻る（Ｓ８３；Ｎ、Ｓ８５、Ｓ５３）。つまり、メインスイッチＳＷＭがオンでレリーズスイッチＳＷＲがオフの間は、初期値８０のカウンターの値が０になるまでＳ５３〜Ｓ８５の処理を８０回繰り返すのである。なお、８０回繰り返すと、１０秒（125(ms)×80＝10（sec.））経過する。
【００４２】
カウンターの値が０になったら（Ｓ８３；Ｙ）、測光スイッチＳＷＳがオンしているかどうかをチェックし（Ｓ８７）、測光スイッチＳＷＳがオンしていたらＳ５３に戻る（Ｓ８７；Ｙ）。つまり、１０秒経過しても、測光スイッチＳＷＳがオンの間は、Ｓ５３〜Ｓ８３、Ｓ８７、Ｓ５３の処理を繰り返すのである。測光スイッチＳＷＳがオンしていなかったら（Ｓ８７；Ｎ）、ファインダ内ＬＣＤバックライトを消灯し（Ｓ９１）、ピクチャーモード表示ＬＥＤ５１を消灯し、３分タイマをスタートさせてＳ１７に戻る（Ｓ９３、Ｓ９４、Ｓ１７）。ピクチャーモード表示ＬＥＤ５１の消灯とは、オートピクチャーモードまたは発光禁止オートピクチャーモードを選択している場合に、ＡＥ演算処理（Ｓ６３）で選択され、ピクチャーモード表示点灯処理（Ｓ７５）で点灯したプログラム露出モードに対応するピクチャーモード表示ＬＥＤ５１を消灯する処理である。３分タイマは、発光禁止フラグをクリアする条件の一つであって、測光スイッチＳＷＳがＯＦＦしてから何らスイッチ操作されずれに３分経過したら発光禁止フラグをクリアする（Ｓ２８−２；Ｙ、Ｓ２８−３）。
【００４３】
以上のＳ８７〜Ｓ９４、Ｓ１７〜Ｓ２８−４の処理により、発光部１１１がポップアップした後強制的に収納され、発光禁止フラグに“１”がセットされたとしても、測光スイッチＳＷＳがオフしてから、レリーズ操作、メインスイッチ操作がされずに３分経過すると、つまり測光スイッチＳＷがオフした後カメラが放置されて３分経過すると、自動的に発光禁止フラグがクリアされる。つまり、発光禁止フラグに“１”がセットされた後、測光スイッチＳＷＳがＯＦＦしてから３分間は発光禁止状態が保持されるが、３分経過すると、自動的に発光禁止状態が解除される、したがって、使用者は、発光禁止にしたことを忘れても、カメラを３分間放置すると３分後には自動的に元の自動発光モードに復帰するので、次の撮影時において発光禁止による誤撮影が防止される。また、３分経過する前にメインスイッチＳＷＭがＯＦＦからONされたときも同様に、Ｓ２１；Ｙ、Ｓ２９、Ｓ３０の処理により、発光禁止フラグがクリアされる。
【００４４】
『内蔵フラッシュポップアップ処理』
メイン処理のＳ３３またはＳ６５のステップで実行される内蔵フラッシュポップアップ処理に詳細について、図７に示したフローチャートを参照してより詳細に説明する。
この処理は、フラッシュの発光を禁止する発光禁止オートピクチャーモード以外のモードが選択されていて、かつ内蔵フラッシュ発光条件が整ったときに、トランジスタＴr１をオンしてポップアップマグネットＰｕＭｇに通電し、発光部１１１を発光位置にポップアップさせる処理である。そして、一旦自動ポップアップさせたが使用者などによって強制的に収納位置に収納されたときは、測光タイマがタイムアップするまで、など所定の条件を満たすまでは自動ポップアップ、自動発光を禁止していることに特徴の一つがある。
【００４５】
内蔵フラッシュポップアップ処理に入ると、先ず、モードダイヤルスイッチＳＷＭｏｄによって発光禁止オートピクチャーモードが選択されているかどうかをチェックし（Ｓ２０１）、このモードが選択されている場合はフラッシュを発光させないのでリターンする（Ｓ２０１；Ｙ）。
【００４６】
発光禁止オートピクチャーモード以外のモードが選択されているときは（Ｓ２０１；Ｎ）、発光禁止フラグに１がセットされているかどうかをチェックし（Ｓ２０３）、発光禁止フラグに１がセットされていないときは（Ｓ２０３；Ｎ）、内蔵フラッシュ５３がポップアップしているかどうかをチェックする（Ｓ２０５）。ただし、発光禁止フラグは、フラッシュの発光を禁止するときに１がセットされ、デフォルトでは０がセットされている。発光禁止フラグに１がセットされているとき（Ｓ２０３；Ｙ）、またはすでに内蔵フラッシュ５３がポップアップしているとき（Ｓ２０５；Ｙ）はリターンする。内蔵フラッシュ５３がポップアップしていないときは（Ｓ２０５；Ｎ）、オートポップアップフラグに１がセットされているかどうかをチェックする（Ｓ２０７）。オートポップアップフラグは、デフォルトでは０がセットされている。
【００４７】
オートポップアップフラグに１がセットされていなければ（Ｓ２０７；Ｎ）、強制ポップアップ処理を実行し（Ｓ２１３）、オートフラッシュ発光許可フラグに１がセットされているかどうかをチェックして、許可されていれば自動ポップアップ処理を実行してリターンし（Ｓ２１５；Ｙ、Ｓ２１７）、許可されていなければそのままリターンする（Ｓ２１５；Ｎ）。
オートポップアップフラグに１がセットされていれば（Ｓ２０７；Ｙ）、発光禁止フラグに１をセットし（Ｓ２０９）、オートポップアップフラグをクリア（０をセット）してリターンする（Ｓ２１１）。
【００４８】
なお、Ｓ２０３のステップで発光禁止フラグに１がセットされていたときの分岐で、リターンする前に図８の強制ポップアップ処理を実行する構成にすれば、使用者が手動で強制収納させても、その後使用者が強制発光ボタン１１９を押すとポップアップ処理を実行するので、モードを変えることなく、発光部１１１を再び発光位置にポップアップさせることができる。この場合の強制ポップアップ処理には、Ｓ２３７のポップアップマグネットＰｕＭｇへの通電オフ処理の後に発光禁止フラグをクリアする処理を入れる。
【００４９】
『強制ポップアップ処理』
内蔵フラッシュポップアップ処理（図７）におけるＳ２１３の強制ポップアップ処理では、そのフローチャートを図８に示したように、強制ポップアップスイッチＳＷＰｕ（強制発光スイッチ）がオンしているときに（Ｓ２３１；Ｙ）、ポップアップマグネットＰｕＭｇに所定時間（５ms間）通電して係止レバー１５１の係止を解除し（Ｓ２３３、Ｓ２３５、Ｓ２３７）、ばね部材１５３の弾性復元力によって発光部１１１をポップアップさせる。発光部１１１がポップアップすると、ポップアップ検知スイッチＳＷＰｕｄがオンするので、このスイッチのオンによりＣＰＵ１１は発光部１１１がポップアップしたことを検知できる。強制ポップアップスイッチＳＷＰｕがオンしていないときは（Ｓ２３１；Ｎ）、何もしないでリターンする。
【００５０】
『自動ポップアップ処理』
内蔵フラッシュポップアップ処理（図７）におけるＳ２１７の自動ポップアップ処理は、そのフローチャートを図９に示したように、内蔵フラッシュ５３の発光部１１１がポップアップしていないときは、所定条件が整ったときにポップアップさせる処理である。この自動ポップアップ処理に入ると、まず、内蔵フラッシュ５３がポップアップしているかどうかをポップアップ検知スイッチＳＷＰｕｄがオンしているかどうかでチェックする（Ｓ２４１）。ポップアップ検知スイッチＳＷＰｕｄがオンしていたらそのままリターンする（Ｓ２４１；Ｙ）。オンしていなければ、オートポップアップ許可フラグがセットされているかどうか、かつ測光スイッチＳＷＳがオンしているかどうかをチェックする（Ｓ２４１；Ｎ、Ｓ２４３）。
【００５１】
オートポップアップ許可フラグは、ＡＥ演算処理（自動発光判断処理）でフラッシュを発光したほうがよいと判断されたときに内蔵フラッシュ５３がポップアップしていなければ、セットされる。オートポップアップ許可フラグがクリアされているか、測光スイッチＳＷＳがオンしていなければそのままリターンする（Ｓ２４３；Ｎ）。オートポップアップ許可フラグがセットされていて、かつ測光スイッチＳＷＳがオンしていたら、ポップアップマグネットＰｕＭｇに５ms間通電して係止を解除し（Ｓ２４３；Ｙ、Ｓ２４５、Ｓ２４７、Ｓ２４９）、発光部１１１をばね部材１５３の弾性復元力によってポップアップさせる。そして、オートポップアップフラグに１をセットしてリターンする（Ｓ２５１）。
【００５２】
メイン処理（図６）のＳ６５のステップで実行される自動ポップアップ処理において発光部１１１をポップアップさせたら、ポップアップ検知スイッチＳＷＰｕｄがオンし、オートポップアップフラグに１がセットされるので、その後、内蔵フラッシュポップアップ処理に入ったときに、Ｓ２０５からこの処理を抜ける。
【００５３】
一方、自動ポップアップさせた発光部１１１が使用者等によって収納位置まで押し下げられると、ポップアップ検知スイッチＳＷＰｕｄがオフするので、オフしてから１回目の内蔵フラッシュポップアップ処理（図７）のＳ２０７でからＳ２０９に進み、発光禁止フラグに１をセットし、Ｓ２１１でオートポップアップフラグをクリアしてこの処理を抜ける。したがって、その後測光スイッチＳＷＳをオンしている間、測光スイッチＳＷＳがオフしてからメインスイッチＳＷＭがＯＦＦしてＯＮするか、３分タイマが経過するまでは発光禁止フラグに１がセットされている。したがって、メイン処理（図６）のＳ６５のステップで内蔵フラッシュポップアップ処理（図７）に入ってもＳ２０３のステップからリターンするので、オートポップアップ許可フラグがセットされかつ測光スイッチＳＷＳがオンされていても発光部１１１が自動的にポップアップすることがない。
【００５４】
３分タイマが経過するか、メインスイッチＳＷＭがＯＦＦしてＯＮすると、メイン処理（図６）のＳ２８−３またはＳ３０のステップにおいて発光禁止フラグがクリアされるので、その後内蔵フラッシュポップアップ処理（図７）に入ったときに、オートポップアップ許可フラグがセットされていてかつ測光スイッチＳＷＳがオンしていれば、発光部１１１が自動的にポップアップし、自動発光が可能になる。
【００５５】
『ＡＥ演算処理』
メイン処理（図６）のＳ６３のステップで実行されるＡＥ演算処理について、図１０を参照してより詳細に説明する。
このＡＥ演算処理に入ると先ず、手ぶれ速以下フラグ等ＡＥ演算処理に関係するフラグをすべてクリアする（Ｓ３０１）。ＣＰＵ１１は、レンズＣＰＵ６３との間で、所定のレンズ通信をステップＳ５７で実行しており、開放絞り値、最小絞り値等のレンズデータを用いて補正を行う（Ｓ３０３）。次に、測光ＩＣ４１から入力した測光信号に基づいて、各測光エリア毎に被写体輝度を算出し（Ｓ３０５）、分割測光アルゴリズムによって露出値Ｌｖ´を算出する（Ｓ３０７）。そして、フィルム感度Ｓｖ、露出補正値Ｘｖ、露出値Ｌｖ´に基づいて、制御用露出値Ｌｖを算出する（Ｓ３０９）。
【００５６】
そして、モードダイヤル１２１によって選択された露出モードを設定するピクチャーモード設定処理を実行する（Ｓ３１１）。さらに、内蔵フラッシュ５３のケラレ情報および外部フラッシュ７１のケラレ情報と、装着された撮影レンズ情報とに基づいて、それぞれフラッシュ光がレンズ鏡筒によってケラレるかどうかを判定する（Ｓ３１３）。ここでケラレとは、フラッシュ光が、装着されたレンズ鏡筒により遮られてしまい、撮影画面の中央下部にフラッシュ光が届かず、レンズ鏡筒の影が出てしまうことをいう。本実施の形態では、このような失敗を防ぐために、外部フラッシュ７１、内蔵フラッシュ５３についてケラレを生じると判定したときは、外付ケラレ、内ケラレが有る旨をＣＰＵ１１の内蔵ＲＡＭに設定し、後述の自動発光判断処理において、フラッシュを発光させないようにする。
【００５７】
次に、自動発光判断処理を実行する（Ｓ３１５）。詳細は後述するが、自動発光判断処理においてオートフラッシュ発光許可フラグがセットされると、プログラム演算処理においてＣＰＵ１１が所定条件に基づいてフラッシュを発光させるか否か判断して、フラッシュを発光させると判断したときには、レリーズ処理（Ｓ９５）の際に内蔵フラッシュ５３または外部フラッシュ７１を発光させる。
【００５８】
オートフラッシュ発光許可フラグがセットされていないときは、フラッシュを発光させない定常光プログラム演算を実行してシャッタ速度および絞り値を求め（Ｓ３１７；Ｎ、Ｓ３２１）、オートフラッシュ発光許可フラグがセットされているときは、所定の条件を満たしたときにフラッシュを発光させるフラッシュプログラム演算処理を実行して適正シャッタ速度および絞り値を求め（Ｓ３１７；Ｙ、Ｓ３１９）、手ぶれ速以下判定処理を実行してリターンする（Ｓ３２３）。
【００５９】
手ぶれ速以下判定処理では、定常光プログラム演算処理またはフラッシュプログラム演算処理で求めたシャッタ速度が手ぶれ限界速度より遅いかどうかを判定する。シャッタ速度が手ぶれ限界速度より遅い場合には、Ｓ７３のファインダ内ＬＣＤバックライト点灯処理で赤色ＬＥＤ４７ｂを点灯させる。
【００６０】
『自動発光判断処理』
ＡＥ演算処理（図１０）のＳ３１５のステップで実行される自動発光判断処理について、図１１に示したフローチャートを参照してより詳細に説明する。この処理に入ると先ず、モードダイヤルスイッチＳＷＭｏｄの状態により発光禁止オートピクチャーモードが選択されているかどうかをチェックする（Ｓ３４１）。発光禁止オートピクチャーモードが選択されている場合は、内蔵フラッシュ５３および外部フラッシュ７１の発光を禁止しているので、そのままリターンする（Ｓ３４１；Ｎ）。発光禁止オートピクチャーモード以外の撮影モードが設定されている場合は、自動発光モードであるかどうかをチェックする（Ｓ３４１；Ｙ、Ｓ３４３）。
【００６１】
自動発光モードではないとき、つまり、強制発光モードであるときはＳ３４５へ進み（Ｓ３４３；Ｎ、Ｓ３４５）、外部フラッシュ７１の充電電圧が充電完了レベルに達しているかどうかチェックする（Ｓ３４５）。
【００６２】
外部フラッシュ７１の充電が完了しているときは（Ｓ３４５；Ｙ）、自動発光モードであるかどうかをチェックし（Ｓ３４６）、自動発光モードであるときはＳ３１３のステップで判定した外付ケラレ（外部フラッシュ光がケラレる）か否かをチェックし（Ｓ３４６；Ｙ、Ｓ３４７）、外付ケラレのときはフラッシュの発光を許可しないでリターンする（Ｓ３４７；Ｙ）。外付ケラレでないときは（Ｓ３４７；Ｎ）、レリーズ処理（Ｓ９５）の際にフラッシュ光の自動発光を許可するオートフラッシュ発光許可フラグをセットしてリターンする（Ｓ３５５）。自動発光モードでないときは、オートフラッシュ発光許可フラグをセットしてリターンする（Ｓ３４６；Ｎ、Ｓ３５５）。
【００６３】
外部フラッシュ７１の充電が完了していないとき（外部フラッシュ７１が装着されていないときも含む）は（Ｓ３４５；Ｎ）、自動発光モードであるかどうかをチェックし（Ｓ３４８）、自動発光モードであるときは内ケラレ（内蔵フラッシュ光がケラレる）か否かをチェックし（Ｓ３４８；Ｙ、Ｓ３４９）、内ケラレのときはフラッシュの発光を許可しないでリターンする（Ｓ３４９；Ｙ）。
【００６４】
自動発光モードでないとき、または内ケラレでないときは、内蔵フラッシュポップアップ検知スイッチＳＷＰｕｄにより内蔵フラッシュ５３の発光部１１１がポップアップしているかどうかをチェックする（Ｓ３４８；ＮまたはＳ３４９；Ｎ、Ｓ３５０）。
発光部１１１がポップアップしているときは、内蔵フラッシュ５３の充電電圧が充電完了レベルに達しているかどうか（充電完了しているかどうか）をチェックする（Ｓ３５０；Ｙ、Ｓ３５１）。内蔵フラッシュ５３の充電が完了しているときはオートフラッシュ発光許可フラグをセットしてからリターンする（Ｓ３５１；Ｙ、Ｓ３５５）。充電が完了していないときはそのままリターンする（Ｓ３５１；Ｎ）。
発光部１１１がポップアップしていないときは、発光部１１１が収納位置にあるか、途中までポップアップしているが正常な向きではないので、オートポップアップ許可フラグをセットしてリターンする（Ｓ３５０；Ｎ、Ｓ３５３）。
【００６５】
オートポップアップ許可フラグがセットされると、測光スイッチＳＷＳがオンされていることを条件に、Ｓ２１７の自動ポップアップ処理においてＳ２４３からＳ２４５に進み、内蔵フラッシュ５３が自動的にポップアップされる。
【００６６】
自動発光モードのときは（Ｓ３４３；Ｙ）、レンズデータ通信で得た撮影距離が所定距離よりも近いかどうか判断し（Ｓ３５７）、近距離の場合はそのままリターンする（Ｓ３５７；Ｙ）。撮影距離が近すぎると、フラッシュ光の自動調光機能が有効に働かず、露出オーバーになる場合があるからである。本実施形態では、撮影距離のアペックス換算値が−１（約７０cm）以下の場合を近距離としてこの場合はフラッシュの自動発光は行わない。
【００６７】
撮影距離が所定距離よりも長い場合は（Ｓ３５７；Ｎ）、プログラムモードであるかどうかをチェックする（Ｓ３５９）。プログラムモードでない場合（Ｓ３５９；Ｎ）、つまり絞り優先モード、シャッタ速度モード、マニュアルモード等であるときは、各使用者の判断に任せるため、そのままリターンする（Ｓ３５９；Ｎ）。
【００６８】
プログラムモードが設定されているときは、定常光プログラム演算処理を実行する（Ｓ３６１）。そして、演算したシャッタ速度が手ぶれ限界速度以下であるかどうか（Ｓ３６３）、および逆光かどうかを判断する（Ｓ３６５）。演算したシャッタ速度が手ぶれ限界速度以下でなく、かつ逆光でもないときは、そのままリターンする（Ｓ３６３；Ｎ、Ｓ３６５；Ｎ）。演算したシャッタ速度が手ぶれ限界速度以下であるとき（Ｓ３６３；Ｙ）、または逆光撮影であるときは（Ｓ３６５；Ｙ）、フラッシュを自動発光させるためにＳ３４５に進む。
【００６９】
『レリーズ処理』
メイン処理（図６）のＳ９５で実行されるレリーズ処理について、図１２に示したフローチャートを参照してより詳細に説明する。
【００７０】
レリーズ処理に入ると、先ず、ミラー係止解除マグネット（図示せず）に通電してミラー係止を解除し、ミラーをミラーアップばねの復元力によってアップさせるとともに、絞り制御回路３７を作動させて、ミラーアップに連動して絞り込まれる絞り込み機構を、設定した絞り値で停止させる（Ｓ６０１）。
ミラーアップが完了したことをミラーアップ検知スイッチ（図示せず）によって検知したら、詳細は後述するが、シャッタ制御回路３５を作動させて、設定したシャッタ速度でフォーカルプレーンシャッタ装置を作動させる露光処理を実行する（Ｓ６０３）。
【００７１】
シャッタ装置の動作が終了したらメカチャージモータ２１を作動させてミラーをダウンさせるとともにミラーチャージばねをチャージするミラーチャージ処理、およびシャッタ幕を作動開始位置まで移動させるとともシャッタチャージばねをチャージするシャッタチャージ処理を実行し、さらにフィルムモータ２５を作動させてフィルムを１コマ分巻き上げるフィルム巻上げ処理を実行する（Ｓ６０５）。そして、発光禁止フラグをクリア（“０”をセット）してリターンする（Ｓ６０７）。
【００７２】
『露光処理』
レリーズ処理（図１２）のＳ６０３のステップで実行される露光処理について、さらに詳細に図１３に示したフローチャートを参照してより詳細に説明する。
【００７３】
露光処理に入ると、先ず、ＡＥ演算処理で設定したシャッタ速度（露出時間）をシャッタタイマに設定してシャッタタイマをスタートさせ（Ｓ６２１）、先幕をスタート（走行）させる（Ｓ６２３）。
【００７４】
次に、設定したシャッタ速度がフラッシュ同調速度以下かどうかをチェックする（Ｓ６２５）。フラッシュ同調速度以下でなければフラッシュを発光させないので、シャッタタイマがタイムアップしたかどうかをチェックし（Ｓ６２５；Ｎ、Ｓ６３９）、シャッタタイマがタイムアップしたら後幕をスタートさせてリターンする（Ｓ６３９；Ｙ、Ｓ６４１）。
【００７５】
設定したシャッタ速度がフラッシュ同調速度以下であれば（Ｓ６２５；Ｙ）、先幕の走行が完了するのを待ち（Ｓ６２７）、先幕の走行が完了したことを検知したら（Ｓ６２７；Ｙ）、発光禁止オートピクチャーモードが選択されているかどうかをチェックする（Ｓ６２９）。発光禁止オートピクチャーモードが選択されていればフラッシュは発光させないのでＳ６３９に進み（Ｓ６２９；Ｙ、Ｓ６３９）、選択されていなければフラッシュ発光が可能かどうか（オートフラッシュ発光許可フラグに“１”がセットされているかどうか）をチェックする（Ｓ６２９；Ｎ、Ｓ６３１）。フラッシュ発光可でなければ（オートフラッシュ発光許可フラグに“１”がセットされていなければ）Ｓ６３９に進み（Ｓ６３１；Ｎ、Ｓ６３９）、フラッシュ発光可であれば（オートフラッシュ発光許可フラグに“１”がセットされていれば）、アクセサリーシュー１１３に装着された外部フラッシュ７１に発光信号を送信して外部フラッシュ７１を発光させる外部フラッシュ発光処理を実行する（Ｓ６３１；Ｙ、Ｓ６３３）。
【００７６】
そして、内蔵フラッシュ５３の発光部１１１がポップアップしているかどうかをポップアップ検知スイッチＳＷＰｕｄがオンしているかどうかでチェックする（Ｓ６３５）。発光部１１１がポップアップしていたら（Ｓ６３５；Ｙ）、内蔵フラッシュ発光処理を実行してＳ６３９に進む（Ｓ６３７、Ｓ６３９）。内蔵フラッシュ５３がポップアップしていなければ内蔵フラッシュ５３を発光させずにＳ６３９に進む（Ｓ６３５；Ｎ、Ｓ６３９）。アクセサリーシュー１１３に外部フラッシュ７１が装着されているときも、発光部１１１をポップアップさせないので、Ｓ６３５からＳ６３９に進む。そして、シャッタタイマがタイムアウトするのを待ち、タイムアウトしたら後幕をスタートさせてリターンする（Ｓ６３９；Ｙ、Ｓ６４１）。
なお、通常、内、外フラッシュ発光処理では、図示しないＴＴＬ測光センサによって露光中のフィルム面の受光光量を測定し、受光光量が演算した露光量に達したら発光停止信号を内、外フラッシュ５３、７１に発光停止信号を出力して発光を停止させることができる。
【００７７】
以上の通り本発明の実施の形態によれば、フラッシュを自動発光させるオートピクチャーモードにおいて、フラッシュ発光条件が揃って発光部１１１がポップアップした後に、使用者が発光部１１１を強制的に収納されたときは自動的にフラッシュ発光が禁止されるので、フラッシュ発光を禁止する操作ボタンや撮影モード変更操作をしなくても一時的に自動発光を禁止できる。使用者がレリーズボタン１０５から指を離しても、３分経過するまでは自動発光禁止状態が維持されているので、自動発光させずに撮影することができる。
しかも本実施の形態によれば、一時的に自動発光が禁止された後、使用者が忘れていても、レリーズボタン１０５から指を離して（測光スイッチＳＷＳがＯＦＦして）カメラを放置して３分経過するか、３分経過前であってもメインスイッチＳＷＭをＯＦＦしてからＯＮすると元の自動発光モードに戻るので、一時的な自動発光禁止の解除を忘れる虞れが少ない。
【００７８】
【発明の効果】
以上の説明から明らかな通り本発明は、所定発光条件を満足したときに発光部をポップアップさせて露光時に発光させる自動発光モードを有するフラッシュ内蔵カメラにおいて、ポップアップさせた発光部が発光前に収納位置に戻されたときは一時的に自動発光を禁止し、スイッチ手段がＯＦＦされてから所定時間何ら操作されなかったときには一時的な自動発光の禁止を解除するので、発光モードを変えることなく簡単な操作でフラッシュの自動発光を一時的に禁止することが可能であり、スイッチ手段が所定時間内にＯＦＦからＯＮするなど撮影操作が繰り返されている間は一時的な自動発光禁止が維持されるので、撮影毎に自動発光を再度禁止する操作をしなくても済み、しかも、撮影を中断した場合など、スイッチ手段をＯＦＦしてから何ら操作しないときには一時的な自動発光の禁止が解除されるので、操作性が向上する。
【図面の簡単な説明】
【図１】  本発明を適用した一眼レフカメラのカメラボディの一実施の形態を示す斜視図である。
【図２】  同一眼レフカメラを、内蔵フラッシュが収納された状態を背面から見て要部を示す斜視図である。
【図３】  同一眼レフカメラを、内蔵フラッシュがポップアップした状態を背面から見て示す斜視図である。
【図４】  同一眼レフカメラの制御系の回路構成の一実施例をブロックで示す図である。
【図５】  同一眼レフカメラに撮影レンズを装着した状態の主要構成部材をブロックで模式的に示す図である。
【図６】  同一眼レフカメラのカメラ動作に関するメイン処理の一実施例をフローチャートで示す図である。
【図７】  同一眼レフカメラの内蔵フラッシュポップアップ処理をフローチャートで示す図である。
【図８】  同一眼レフカメラの強制ポップアップ処理をフローチャートで示す図である。
【図９】  同一眼レフカメラの自動ポップアップ処理をフローチャートで示す図である。
【図１０】  同一眼レフカメラのＡＥ演算処理をフローチャートで示す図である。
【図１１】  同一眼レフカメラの自動発光判断処理をフローチャートで示す図である。
【図１２】  同一眼レフカメラのレリーズ処理をフローチャートで示す図である。
【図１３】  同一眼レフカメラの露光処理をフローチャートで示す図である。
【図１４】  同一眼レフカメラのモードダイヤルおよびその周辺構造を示す平面図である。
【符号の説明】
１１  ＣＰＵ（制御手段）
１５  電圧レギュレータ
１７  発振子
１９  ２３  ２７モータドライバＩＣ
２１  メカチャージモータ
２５  フィルムモータ
２９  ＡＦモータ
３１  ＡＦ用フォトインタラプタ
３３  ＣＣＤ
３５  シャッタ回路
３７  絞り制御回路
３９  EEPROM
４１  測光用ＩＣ
４５  ファインダ内ＬＣＤ
４７ａ  緑色ＬＥＤ
４７ｂ  赤色ＬＥＤ
５１  ピクチャーモード表示ＬＥＤ
５１ａ〜５１ｈ  ピクチャーモード表示ＬＥＤ
５３  内蔵フラッシュ
６１  撮影レンズ
７１  外部フラッシュ
１０１  カメラボディ
１０３  上飾り板
１０５  レリーズボタン
１０７  メインスイッチボタン
１０９  外部ＬＣＤ
１１１  発光部（外飾枠）
１１３  アクセサリーシュー
１１５  ボディマウント
１１７  ボディ接点群
１１９  強制発光ボタン
１２１  モードダイヤル
１２３  モード盤（表示板）
１２５  ベゼル
１５１  係止レバー
１５３  係止ばね
ＳＷＭ  メインスイッチ（電源スイッチ）
ＳＷＳ  測光スイッチ
ＳＷＲ  レリーズスイッチ
ＳＷＰｕ  強制ポップアップスイッチ
ＳＷＰｕｄ  ポップアップ検知スイッチ
ＳＷＭｏｄ  モードダイヤルスイッチ
ＰｕＭｇ  ポップアップマグネット
【図１】
0003728185.tif 000002
【図２】
0003728185.tif 000003
【図３】
0003728185.tif 000004
【図４】
0003728185.tif 000005
【図５】
0003728185.tif 000006
【図６】
0003728185.tif 000007
【図７】
0003728185.tif 000008
【図８】
0003728185.tif 000009
【図９】
0003728185.tif 000010
【図１０】
0003728185.tif 000011
【図１１】
0003728185.tif 000012
【図１２】
0003728185.tif 000013
【図１３】
0003728185.tif 000014
【図１４】
0003728185.tif 000015